(57)【要約】【課題】誤って雌端子を落とした際に、一対の保護壁によって第１基端部を保護する。【解決手段】雌端子１０は、角筒状をなし、前端開口縁１４０において前方に開口する角筒部１４と、前端開口縁１４０の一部から前方に突出して後方に折り返された第１基端部２４と、第１基端部２４の後端縁２４０から角筒部１４の内方に延出された第１弾性片２３と、前端開口縁１４０のうち第１基端部２４を両側から囲む部分から前方に突出して設けられた一対の保護壁２９と、を備えた構成としたから、誤って雌端子１０を落とした際に、一対の保護壁２９によって第１基端部２４を保護することができる。【選択図】図２
2015153553.tif 000002
【特許請求の範囲】
【請求項１】
角筒状をなし、前端開口縁において前方に開口する角筒部と、
前記前端開口縁の一部から前方に突出して後方に折り返された第１基端部と、
前記第１基端部の後端縁から前記角筒部の内方に延出された第１弾性片と、
前記前端開口縁のうち前記第１基端部を両側から囲む部分から前方に突出して設けられた一対の保護壁と、を備えた雌端子。
【請求項２】
前記一対の保護壁の前端は、前記第１基端部の前端よりも前方に位置している請求項１に記載の雌端子。
【請求項３】
前記前端開口縁のうち前記第１基端部と対向する部分から前方に突出して後方に折り返された第２基端部と、
前記第２基端部の後端縁から前記角筒部の内方に延出された第２弾性片と、を備えた請求項１または請求項２に記載の雌端子。
【請求項４】
前記一対の保護壁の前端は、前記第２基端部の前端よりも前方に位置している請求項３に記載の雌端子。
【発明の詳細な説明】
【技術分野】
【０００１】
本明細書によって開示される技術は、雌端子に関する。
【背景技術】
【０００２】
従来、雄端子に接続される雌端子として、例えば特開２０１３−２４３０１６号公報（下記特許文献１）に記載の雌端子が知られている。この雌端子は、雄端子の雄タブが挿入される筒部を有している。この筒部は、前後方向に開口する略角筒部をなし、底壁と、底壁の両側縁から上方に立ち上がる一対の側壁と、底壁に対向する天井壁とを備えて構成されている。底壁の前端縁には、第１基端部が前方に突出して形成されている。第１基端部は、底壁の前端縁から筒部の内方に折り返された形状をなしている。第１基端部の後端縁には、雄端子の挿入方向と交差する方向に間隔を空けて並ぶ複数の第１弾性片が筒部の内方に突出して形成されている。
【０００３】
この雌端子では、第１基端部を筒部の前端開口縁から前方に突出させて形成しており、この第１基端部の後端縁に連なるように第１弾性片が形成されている。このようにして第１基端部および第１弾性片を形成すると、筒部の前端開口縁から後方に向けて底壁の一部を切り欠く必要がないため、底壁の強度低下を防止することができる。なお、底壁の一部を切り欠くことで第１基端部および第１弾性片を形成するものとして、例えば特開平４−１４７６８０号公報（下記特許文献２）に記載のコネクタ端子が挙げられる。
【０００４】
ところが、底壁の一部を切り欠くものでは、雌端子の母材となる金属材として板厚が大きいものを使用した場合に、金属材を打ち抜く際の最小幅寸法が大きくなるため、底壁における切り欠きの幅寸法が大きくなり、第１基端部および第１弾性片の幅寸法が小さくなってしまう。特に、大電流用の雌端子では、雄端子との接触面積を増加させて接触抵抗を少しでも下げる必要があるところ、第１基端部および第１弾性片の幅寸法を少しでも大きくすることが望ましく、第１基端部を筒部の前端開口縁から前方に突出させて形成することの技術的意義はこの点にあるといえる。
【先行技術文献】
【特許文献】
【０００５】
【特許文献１】特開２０１３−２４３０１６号公報
【特許文献２】特開平４−１４７５８０号公報
【発明の概要】
【発明が解決しようとする課題】
【０００６】
しかしながら、第１基端部を筒部の前端開口縁から前方に突出させて形成すると、第１基端部が筒部の外部に露出することになるため、誤って雌端子を落とした際に、第１基端部が地面に衝突して損傷するおそれがある。
【課題を解決するための手段】
【０００７】
本明細書によって開示される雌端子は、角筒状をなし、前端開口縁において前方に開口する角筒部と、前記前端開口縁の一部から前方に突出して後方に折り返された第１基端部と、前記第１基端部の後端縁から前記角筒部の内方に延出された第１弾性片と、前記前端開口縁のうち前記第１基端部を両側から囲む部分から前方に突出して設けられた一対の保護壁と、を備えた構成とした。
このような構成によると、誤って雌端子を落とした際に、一対の保護壁によって第１基端部を保護することができる。
【０００８】
本明細書によって開示される雌端子の構成として、以下のようにしてもよい。
前記一対の保護壁の前端は、前記第１基端部の前端よりも前方に位置している構成としてもよい。
このような構成によると、誤って雌端子を落とした際に、一対の保護壁が第１基端部よりも先に地面に衝突することになるため、第１基端部を確実に保護することができる。
【０００９】
前記前端開口縁のうち前記第１基端部と対向する部分から前方に突出して後方に折り返された第２基端部と、前記第２基端部の後端縁から前記角筒部の内方に延出された第２弾性片と、を備えた構成としてもよい。
このような構成によると、誤って雌端子を落とした際に、一対の保護壁によって第２基端部を保護することができる。
【００１０】
前記一対の保護壁の前端は、前記第２基端部の前端よりも前方に位置している構成としてもよい。
このような構成によると、誤って雌端子を落とした際に、一対の保護壁が第２基端部よりも先に地面に衝突することになるため、第２基端部を確実に保護することができる。
【発明の効果】
【００１１】
本明細書によって開示される技術によれば、誤って雌端子を落とした際に、一対の保護壁によって第１基端部を保護することができる。
【図面の簡単な説明】
【００１２】
【図１】実施形態における雌端子を示す一部切欠側面図
【図２】雌端子を示す斜視図
【図３】雌端子を示す平面図
【図４】雌端子を示す側面図
【図５】図４におけるＶ−Ｖ線断面図
【図６】雌端子を示す正面図
【図７】図４におけるＶＩＩ−ＶＩＩ線断面図
【図８】雄端子と雌端子との接続状態を示す断面図
【図９】雄端子が捻回した状態を示す断面図
【発明を実施するための形態】
【００１３】
＜実施形態＞
実施形態を図１から図９の図面を参照しつつ説明する。本実施形態における雌端子１０は、雄端子１１に電気的に接続されるようになっている。以下の説明においては、図１における左方を前方とし、図１における右方を後方として説明する。また、図１における上方を上方とし、図１における下方を下方とする。
【００１４】
雄端子１１は金属板材を所定の形状にプレス加工してなる。雄端子１１は細長い板以上をなす雄タブ１２を有する。雄端子１１は、図示しない電線の端末に接続されていてもよく、また、図示しない機器に接続される構成としてもよい。
【００１５】
雌端子１０は、雄端子１１の雄タブ１２が前方から挿入される角筒部１４を有する。図２から図４に示すように、角筒部１４は、前後方向に開口する略角筒状をなしている。角筒部１４は、底壁１５と、底壁１５の両側縁から上方に立ち上がる一対の側壁１６と、底壁１５に対向する天井壁１７と、を備えて構成されている。
【００１６】
天井壁１７は、一対の側壁１６の一方の上端縁から、他方の側壁１６に向かって略直角に折り曲げられて形成されている。天井壁１７の側端縁には係止部１８が突出して形成されており、この係止部１８が他方の側壁１６の上端縁に形成された係止孔１９の内部に挿通されている。他方の側壁１６の先端部分は、天井壁１７の上面に沿って配されている。これにより、天井壁１７の上方への開きが抑制され、角筒部１４が角筒状に保持されている。
【００１７】
角筒部１４は、図２に示すように、前方に開口する前端開口縁１４０を有している。この前端開口縁１４０は、底壁１５の前端縁１５０と、一対の側壁１６の前端縁１６０と、天井壁１７の前端縁１７０とから構成されている。各前端縁１５０、１６０、１７０は同一平面上に並んで配置されている。
【００１８】
底壁１５の後方には、ワイヤーバレル２０が延設されている。このワイヤーバレル２０には、電線１３の端末において絶縁被覆２１から露出した芯線２２が接続される。ワイヤーバレル２０は、芯線２２の外面に巻き付けられるようにして圧着されている。
【００１９】
底壁１５の前端縁１５０には、第１基端部２４が前方に突出して形成されている。第１基端部２４は、底壁１５の前端縁１５０から角筒部１４の内方に向けて後方に折り返された形状をなしている。図４に示すように、第１基端部２４は角筒部１４の前端開口縁１４０から前方に突出している。
【００２０】
図１および図５に示すように、折り返された第１基端部２４の後端縁２４０には、雄端子１１の挿入方向と交差する方向に間隔を空けて並ぶ複数（本実施形態では３つ）の第１弾性片２３が角筒部１４の内部において後方に突出して形成されている。各第１弾性片２３の、前後方向の長さ寸法は略同じに形成されている。また、各第１弾性片２３の、雄端子１１の挿入方向と直交する方向についての幅寸法は、略同じに形成されている。
【００２１】
第１弾性片２３は、少なくとも、雄端子１１の挿入方向と交差する方向について両端部寄りの位置に形成されており、雄端子１１の両側縁寄りの部分と接触するようになっている。第１弾性片２３とこれに対向する側壁１６との間の寸法は、底壁１５の両側縁から側壁１６を立ち上げて曲げ加工する際の曲げ代寸法と、曲げ加工する際の押さえ代寸法との合計にほぼ等しくされている。
【００２２】
図１に示すように、第１弾性片２３の後端部には、雄端子１１と弾性的に接触する第１接点部２５が下方から叩き出されて形成されている。第１接点部２５はエンボス状をなし、各第１弾性片２３に形成されている。
【００２３】
天井壁１７の前端縁１７０には、第２基端部２７が前方に突出して形成されている。第２基端部２７は、天井壁１７の前端縁１７０から角筒部１４の内方に向けて後方に折り返された形状をなしている。図４に示すように、第２基端部２７は角筒部１４の前端開口縁１４０から前方にやや突出している。
【００２４】
図１および図２に示すように、折り返された第２基端部２７の後端縁２７０には、雄端子１１の挿入方向と交差する方向に間隔を空けて並ぶ複数（本実施形態では３つ）の第２弾性片２６が角筒部１４の内方において後方に突出して形成されている。各第２弾性片２６の、前後方向の長さ寸法は略同じに形成されている。また、各第２弾性片２６の、雄端子１１の挿入方向と直交する方向についての幅寸法は、略同じに形成されている。
【００２５】
図１に示すように、第２弾性片２６の後端部には、雄端子１１と弾性的に接触する第２接点部２８が上方から叩き出されて形成されている。第２接点部２８はエンボス状をなし、各第２弾性片２６に形成されている。
【００２６】
図１、図６、および図７に示すように、第１基端部２４および第１弾性片２３と、第２基端部２７および第２弾性片２６とは、上下対称に形成されている。これにより、第１弾性片２３の第１接点部２５と、第２弾性片２６の第２接点部２８とは、それぞれ対向して配されている（図７参照）。
【００２７】
詳細には図示しないが、第２弾性片２６は、少なくとも、雄端子１１の挿入方向と交差する方向について両端部寄りの位置に形成されており、雄端子１１の両側縁寄りの部分と接触するようになっている。第２弾性片２６とこれに対向する側壁１６との間の寸法は、底壁１５の両側縁から側壁１６を立ち上げて曲げ加工する際の曲げ代寸法と、曲げ加工する際の押さえ代寸法との合計にほぼ等しくされている。
【００２８】
さて、図２に示すように、一対の側壁１６の前端縁１６０には、一対の保護壁２９が前方に突出して形成されている。これらの保護壁２９は、角筒部１４の前端開口縁１４０のうち第１基端部２４および第２基端部２７を左右両側から囲む位置に配されている。図１および図４に示すように、左右一対の保護壁２９の前端は、第１基端部２４および第２基端部２７の前端よりも前方に位置している。詳細には、各保護壁２９は、第１基端部２４および第２基端部２７のうち互いに対向する領域、すなわち雄端子１１の雄タブ１２が接触可能とされる領域を左右両側から囲むように形成されている。具体的には、各保護壁２９は、第１基端部２４の上半分と第２基端部２７の下半分を左右両側から囲んでいる。したがって、誤って雌端子１０を落下させた場合に、第１基端部２４および第２基端部２７が地面に衝突して損傷することを回避できる。
【００２９】
続いて、本実施形態の作用、効果について説明する。図６に示す状態から雄端子１１が角筒部１４内に挿入されると、雄端子１１は、第１弾性片２３と第２弾性片２６との間に進入する。すると、雄端子１１に押圧されることにより、第１弾性片２３は下方に弾性変形し、第２弾性片２６は上方に弾性変形する。さらに雄端子１１が角筒部１４の後方に進入すると、図８に示すように、雄端子１１は、第１弾性片２３の第１接点部２５と、第２弾性片２６の第２接点部２８との間に進入する。第１弾性片２３の弾発力により雄端子１１が押圧されることにより、雄端子１１は第２接点部２８に適正な接触圧で押圧される。一方、第２弾性片２６の弾発力により雄端子１１が押圧されることにより、雄端子１１は第１接点部２５に適正な接触圧で押圧される。これにより、雄端子１１と雌端子１０とが電気的に接続される。
【００３０】
図９には、雄端子１１が、角筒部１４内への雄端子１１の挿入方向を軸として捻回した状態を示す。図８に示す正規の挿入状態から雄端子１１を反時計回り方向に捻回させていくと、雄端子１１と各接点部２５、２８の接点位置は、各接点部２５、２８の接触面に沿って反時計回り方向にわずかに移動しながら、図９に示す姿勢に至る。このため、各接点部２５、２８に対して雄端子１１が一点に集中して接触することを回避できる。
【００３１】
また、雄端子１１は、捻回動作の前後において各接点部２５、２８に対して同じように点接触状態あるいは線接触状態を保持しているため、雄端子１１と各接点部２５、２８の接触状態が急激に変化することはなく、いずれの接触箇所においても十分な接圧が確保されている。すなわち、捻回前に雄端子１１が各接点部２５、２８に対して線接触している場合には、捻回後においても雄端子１１が各接点部２５、２８に対して線接触しており、捻回前に雄端子１１が各接点部２５、２８に対して点接触している場合には、捻回後においても各接点部２５、２８に対して点接触していることになる。
【００３２】
また、複数の第１弾性片２３は、雄端子１１の挿入方向に交差する方向に等しい間隔を空けて並んで形成されているので、各第１弾性片２３は、雄端子１１の捻回動作に追従して弾性変形する。これにより、雄端子１１に対して各第１弾性片２３が適正な接触圧を加えることができるので、雄端子１１は第２接点部２８に適正な接触圧で押圧される。
【００３３】
同様に、雄端子１１の挿入方向に交差する方向に等しい間隔を空けて並ぶ複数の第２弾性片２６も、雄端子１１の捻回動作に追従して弾性変形する。これにより、雄端子１１に対して各第２弾性片２６が適正な接触圧を加えることができるので、雄端子１１は第１接点部２５に適正な接触圧で押圧される。
【００３４】
以上のように本実施形態の雌端子１０は、角筒状をなし、前端開口縁１４０において前方に開口する角筒部１４と、前端開口縁１４０の一部から前方に突出して後方に折り返された第１基端部２４と、第１基端部２４の後端縁２４０から角筒部１４の内方に延出された第１弾性片２３と、前端開口縁１４０のうち第１基端部２４を両側から囲む部分から前方に突出して設けられた一対の保護壁２９と、を備えた構成としたから、誤って雌端子１０を落とした際に、一対の保護壁２９によって第１基端部２４を保護することができる。
【００３５】
また、一対の保護壁２９の前端は、第１基端部２４の前端よりも前方に位置している構成としたから、誤って雌端子１０を落とした際に、一対の保護壁２９が第１基端部２４よりも先に地面に衝突することになるため、第１基端部２４を確実に保護することができる。
【００３６】
また、前端開口縁１４０のうち第１基端部２４と対向する部分から前方に突出して後方に折り返された第２基端部２７と、第２基端部２７の後端縁から角筒部１４の内方に延出された第２弾性片２６と、を備えた構成としたから、誤って雌端子１０を落とした際に、一対の保護壁２９によって第２基端部２７を保護することができる。
【００３７】
また、一対の保護壁２９の前端は、第２基端部２７の前端よりも前方に位置している構成としたから、誤って雌端子１０を落とした際に、一対の保護壁２９が第２基端部２７よりも先に地面に衝突することになるため、第２基端部２７を確実に保護することができる。
【００３８】
＜他の実施形態＞
本明細書で開示される技術は上記記述及び図面によって説明した実施形態に限定されるものではなく、例えば次のような種々の態様も含まれる。
（１）上記実施形態では四角形状の角筒部１４を例示しているものの、本発明によると、三角形状の角筒部としてもよいし、五角形状以上の角筒部としてもよい。
【００３９】
（２）上記実施形態では、複数の第１弾性片２３および第２弾性片２６が、雄端子１１の挿入方向と交差する方向に間隔を空けて並ぶものを例示しているものの、本発明によると、第１弾性片および第２弾性片を１つずつ設けてもよい。
【００４０】
（３）上記実施形態では、エンボス状の第１接点部２５および第２接点部２８を例示しているものの、本発明によると、山形をなす第１弾性片の頂点を第１接点部としてもよいし、山形をなす第２弾性片の頂点を第２接点部としてもよい。
【００４１】
（４）上記実施形態では、保護壁２９の前端が第１基端部２４および第２基端部２７の前端よりも前方に位置しているものを例示しているものの、本発明によると、保護壁の前端が第１基端部および第２基端部の前端と揃っていてもよいし、やや後方に位置してもよい。
【符号の説明】
【００４２】
１０…雌端子
１４…角筒部
１４０…前端開口縁
２３…第１弾性片
２４…第１基端部
２４０…後端縁
２６…第２弾性片
２７…第２基端部
２７０…後端縁
２９…保護壁
【図１】
2015153553.tif 000003
【図２】
2015153553.tif 000004
【図３】
2015153553.tif 000005
【図４】
2015153553.tif 000006
【図５】
2015153553.tif 000007
【図６】
2015153553.tif 000008
【図７】
2015153553.tif 000009
【図８】
2015153553.tif 000010
【図９】
2015153553.tif 000011